(57)【要約】【課題】インキ装置４と湿し水装置５とを連絡したときにおけるインキと水の練りを十分に行うことができるようにする。【解決手段】インキ装置４と湿し水装置５とを接離可能に連絡する湿し水連絡経路１７を、インキ練りローラ８に転接する揺動ローラ１４と、水着けローラ１０に転接する揺動ローラ１６とを含む複数のローラからなり、かつ中間に位置するローラが、隣接する一方のローラに対する転接を接離可能にした渡りローラ１５である構成にした。【選択図】図２
2008105190.tif 000002
【特許請求の範囲】
【請求項１】
インキ練りローラ、インキ揺動ローラ、インキ着けローラからなるインキ装置にてインキを供給するようにした版面に、水元ローラ、調量ローラ、水着けローラを経て湿し水を連続的に供給すると共に、水着けローラからインキ着けローラに湿し水を断続可能に供給する湿し水連絡経路を有するオフセット印刷機の湿し水装置において、
上記湿し水連絡経路を、
インキ練りローラに転接する揺動ローラと、水着けローラに転接する揺動ローラとを含む複数のローラからなり、かつ中間に位置するローラが、隣接する一方のローラに対する転接を接離可能にした渡りローラである
ことを特徴とするオフセット印刷機の湿し水装置。
【請求項２】
請求項１記載のオフセット印刷機の湿し水装置における湿し水連絡経路の水着けローラに転接するローラを練りローラとしたことを特徴とするオフセット印刷機の湿し水装置。
【発明の詳細な説明】
【技術分野】
【０００１】
本発明は、オフセット印刷機に用いられる湿し水装置で、特に版面に転接する水着けローラにて、この版面に対して湿し水のみと、湿し水と共にインキをそれぞれ切り換え可能に供給するようにした湿し水装置に関するものである。
【背景技術】
【０００２】
この種の湿し水装置としては、図１に示すようになっていて、版面ａに転接して水元ローラｂから供給される湿し水を版面ａに供給する水着けローラｃには、インキ受け入れローラｄを介してインキ装置ｅの版面ａに転接した複数のインキ着けローラｆ１，ｆ２の内の１個のインキ着けローラｆ１からインキが供給されるようになっている。そして上記インキ受け入れローラｄは、インキ着けローラｆ１に対して接離可能になっていて、このインキ受け入れローラｄの接離により、水着けローラｃは水舟ｇからの水のみを版面ａに供給し、あるいはこの水と共にインキ装置ｅからのインキを供給するようになっている。なお、図中ｈは水元ローラｂに転接した調量ローラ、ｉはインキ着けローラｆ１，ｆ２に転接してこれらにインキを供給する揺動ローラである。
【０００３】
上記湿し水の供給形態の切り換えは、印刷物の画線面積率によって選択的に行われるものである。
【０００４】
すなわち、望ましい印刷を行うためには、湿し水を版面ａ上へ均一な被膜として供給することと、インキ装置ｅへの適度な乳化とが必要となる。そしてこのインキ装置ｅの乳化状態は、版面ａへの水の供給形態により異なり、また印刷物の画線面積率によっても異なり、印刷物の画線面積が小さい場合には、インキ受け入れローラｄを水着けローラｃから離隔して、水着けローラｃにて湿し水を直接版面ａに供給するようにし、また印刷物の画線面積が大きい場合には、インキ受け入れローラｄを水着けローラｃに接触させて水着けローラｃにて水と共にインクを版面ａに供給するようにしている。
【０００５】
【特許文献１】特許第２８８２９６６号公報
【発明の開示】
【発明が解決しようとする課題】
【０００６】
上記した従来の湿し水装置では、水着けローラに対するインキ供給経路は、この水着けローラに対して接離する１個のローラ（インキ受け入れローラ）を用いる構成であることにより、水着けローラに供給されるインクは、この給水経路での練りが十分に行われず、また水着けローラからインキ着けローラへの水の供給経路における練りが十分に行われず、水着けローラ及びインキ着けローラの双方でのインキと水の均一な被膜と適度な乳化が得難く、印刷物の画線面積率が大きくなるに従い、水と共にインキを版面に供給するようにした場合においても過乳化の進行が早く、印刷汚れの発生が早く現れるという問題があった。
【０００７】
本発明は上記のことに鑑みなされたもので、インキ装置と湿し水装置とを連絡したときにおけるインキと水の練りを十分に行うことができ、インキ着けローラ及び水着けローラより版面に水と共にインキを供給する給水形態における水着けローラ及びインキ着けローラでのインキの乳化を適度に行うことができるようにしたオフセット印刷機における湿し水装置を提供しようとするものである。
【課題を解決するための手段】
【０００８】
上記課題を解決するために、本発明に係るオフセット印刷機における湿し水装置は、インキ練りローラ、インキ揺動ローラ、インキ着けローラからなるインキ装置にてインキを供給するようにした版面に、水元ローラ、調量ローラ、水着けローラを経て湿し水を連続的に供給すると共に、水着けローラからインキ着けローラに湿し水を断続可能に供給する湿し水連絡経路を有するオフセット印刷機の湿し水装置において、上記湿し水連絡経路を、インキ練りローラに転接する揺動ローラと、水着けローラに転接する揺動ローラとを含む複数のローラからなり、かつ中間に位置するローラが、隣接する一方のローラに対する転接を接離可能にした渡りローラである構成になっている。
【０００９】
そして上記構成のオフセット印刷機の湿し水装置における湿し水連絡経路の水着けローラに転接するローラを練りローラとしてもよい。
【発明の効果】
【００１０】
本発明によれば、インキ装置と湿し水装置とを別々に設け、この両装置を湿し水連絡経路にて接離可能に連絡したオフセット印刷機の湿し水装置において、この湿し水装置の湿し水連絡経路が複数のローラにて構成されて水着けローラからインキ装置のインキ練りローラ間に設けられること、及び上記インキ装置のインキ練りローラと、水着けローラにそれぞれ転接するローラが揺動ローラであることにより、渡りローラを接続状態にして水着けローラとインキ練りローラとを連絡したときにおいての水着けローラからインキ装置のインキ着けローラまでの水の移動経路が長くなり、インキ着けローラと版面との間におけるインキの乳化状態を適正にすることができ、画線面積率が多い印刷物の印刷を長時間にわたって安定して行うことができる。
【００１１】
また、渡りローラを離隔状態にして水着けローラからのみ版面に湿し水を供給する場合において、水着けローラには揺動ローラあるいはインキ練りローラが、またインキ装置のインキ練りローラには揺動ローラが常時転接していることにより、これらのローラがならしローラの作用を行い、水着けローラから版面にて供給される水、及びインキ着けローラから版面に供給されるインキのそれぞれはよく練られた状態で版面に供給することができる。
【発明を実施するための最良の形態】
【００１２】
図２はオフセット印刷機の１つの印刷ユニットを示すもので、図中１は版胴、２はブランケット胴、３は圧胴である。そして４は上記版胴１の表面の版面１ａにインキを供給するインキ装置、５は上記版面１ａに湿し水を供給する湿し水装置である。
【００１３】
インキ装置４は版面１ａに転接する２個のインキ着けローラ６ａ，６ｂ、この両インキ着けローラ６ａ，６ｂに跨って転接するインキ揺動ローラ７、このインキ揺動ローラ７に転接するインキ練りローラ８及びこのインキ練りローラ８に転接するインキ経路上流側のインキ供給練りローラ９とからなっている。
【００１４】
湿し水装置５は、上記版面１ａに転接する水着けローラ１０、この水着けローラ１０に水舟１１から湿し水を供給する水元ローラ１２及び調量ローラ１３を有している。そしてこの湿し水装置５の水着けローラ１０は、上記インキ装置４のインキ練りローラ８に転接する第１水揺動ローラ１４、渡りローラ１５、第２水揺動ローラ１６からなる湿し水連絡経路１７を介して、上記インキ練りローラ８に連絡されている。上記渡りローラ１５は、水着けローラ１０に転接している第２水揺動ローラ１６に対して接離可能になっている。
【００１５】
上記構成において、湿し水連絡経路１７の渡りローラ１５が第２水揺動ローラ１６から離隔させた状態では、インキ装置４と湿し水装置５との連絡は遮断される。したがって、インキ練りローラ８に供給されたインキは、インキ揺動ローラ７、インキ着けローラ６ａ，６ｂを介して版面１ａに供給される。このとき、インキ練りローラ８に転接している第１水揺動ローラ１４には湿し水装置５からの水の供給はなく、インキ揺動ローラ７の表面のインキを円周方向及び軸方向に練ると共に均す作用をする。
【００１６】
一方、このときにおいて水舟１１からの湿し水は、水着けローラ１０にて直接版面１ａに供給される。そしてこのときの水着けローラ１０の表面にある湿し水は、調量ローラ１３にて調量されると共に、この水着けローラ１０に転接している第２水揺動ローラ１６にて円周方向はもちろんのこと軸方向に均一に均される。
【００１７】
次に、湿し水連絡経路１７の渡りローラ１５を第１水揺動ローラ１４に転接した状態で移動して、これを第２水揺動ローラ１６に転接させると、湿し水装置５の水着けローラ１０とインキ装置４のインキ練りローラ８とが、上記渡りローラ１５にて連絡される。
【００１８】
これにより水着けローラ１０に供給された湿し水は、これの一部が水着けローラ１０から版面１ａへ直接供給されると共に、この湿し水の他の部分が渡りローラ１５を介して２本の水揺動ローラ１６，１４を移動してインキ練りローラ８に供給され、ついでこのインキ練りローラ８からインキ揺動ローラ７を介してインキ着けローラ６ａ，６ｂに移動して、このインキ着けローラ６ａ，６ｂからインキと共に湿し水が版面１ａに供給される。
【００１９】
このときにおいて、インキ装置４のインキ練りローラ８のインキが渡りローラ１５を介して２本の水揺動ローラ１４，１６を介して水着けローラ１０へ移動し、この水着けローラ１０から上記湿し水と共にインキが版面１ａに供給される。
【００２０】
このように湿し水連絡経路１７の渡りローラ１５が第２水揺動ローラ１６に転接した状態、すなわちインキ装置４と湿し水装置５とが連絡したときにおけるインキ装置４のインキ練りローラ８と湿し水装置５の水着けローラ１０との間の湿し水連絡経路１７は、渡りローラ１５を隔てて２個の揺動ローラ１４，１６があるので、この連絡経路１７を移動する湿し水とインキとは、この両ローラ１４，１６にてこれらのローラ軸方向に十分練られながらこの経路を移動する。
【００２１】
そしてこの渡りローラ１５が第２水揺動ローラ１６に転接したときにおける水着けローラ１０と版面１ａとの転接部にあっては、調量ローラ１３から供給された湿し水と、上記連絡経路から移動し、かつこの連絡経路にて十分練られて適度に乳化したインキとが版面１ａに供給される。
【００２２】
一方このときのインキ装置４では、インキ供給練りローラ９から供給されたインキと上記連絡経路からの湿し水とが練りローラ８で合流し、この練りローラ８から揺動ローラ７を経てインキ着けローラ６ａ，６ｂにて版面１ａに供給される。
【００２３】
上記した実施の形態では、湿し水連絡経路１７において、水着けローラ１０に揺動ローラ１６を転接させた例を示したが、これを練りローラに代えてもよい。また湿し水連絡経路を構成するローラは、図２に示した例以外に３本を越える複数本にしてもよい。
【図面の簡単な説明】
【００２４】
【図１】従来例を示す説明図である。
【図２】本発明の実施の形態を示す説明図である。
【符号の説明】
【００２５】
１…版胴、１ａ…版面、２…ブランケット、３…圧胴、４…インキ装置、５…湿し水装置、６ａ，６ｂ…インキ着けローラ、７…インキ揺動ローラ、８…インキ練りローラ、９…インキ供給練りローラ、１０…水着けローラ、１１…水舟、１２…水元ローラ、１３…調量ローラ、１４，１６…水揺動ローラ、１５…渡りローラ、１７…湿し水連絡経路。
【図１】
2008105190.tif 000003
【図２】
2008105190.tif 000004